(57)【要約】【課題】高さ３ｍｍ以下のスペースで極細同軸ケーブルアセンブリを可能とした電子機器と、その配線材として用いられる電子機器配線用ハーネスの提供。【解決手段】回路を有する複数の筐体が相対移動可能に取り付けられ、これらの筐体内の回路同士を電線によって電気的に接続してなる電子機器において、前記電線は、多数本の電線の両端に接続部を有するハーネス構造をなし、前記筐体のハーネスとの接続部は、これらの接続部を結ぶ線と前記複数の筐体の移動方向とが平行にならない位置に配置されたことを特徴とする電子機器。【選択図】図１
2008192453.tif 000002
【特許請求の範囲】
【請求項１】
回路を有する複数の筐体が相対移動可能に取り付けられ、これらの筐体内の回路同士を電線によって電気的に接続してなる電子機器において、
前記電線は、多数本の電線の両端に接続部を有するハーネス構造をなし、前記筐体のハーネスとの接続部は、これらの接続部を結ぶ線と前記複数の筐体の移動方向とが平行にならない位置に配置されたことを特徴とする電子機器。
【請求項２】
前記電線は、少なくとも１本の極細同軸ケーブルを含むことを特徴とする請求項１に記載の電子機器。
【請求項３】
前記複数の筐体は、第１の筐体と、該第１の筐体にスライド可能に取り付けられた第２の筐体とからなることを特徴とする請求項１又は２に記載の電子機器。
【請求項４】
前記ハーネスは、多数本の電線のそれぞれの線長を変えたことを特徴とする請求項１〜３のいずれかに記載の電子機器。
【請求項５】
多数本の電線の両端に接続部を有するハーネス構造をなし、請求項１〜４のいずれかに記載の電子機器における筐体内の回路同士を電気的に接続するために用いる電子機器配線用ハーネス。
【発明の詳細な説明】
【技術分野】
【０００１】
本発明は、回路を有する複数の筐体が相対移動可能に取り付けられ、これらの筐体内の回路同士を極細同軸ケーブル等の電線によって電気的に接続してなる携帯電話、携帯用パーソナルコンピュータなどの電子機器、および該電子機器の筐体間配線に用いるハーネスに関する。
【背景技術】
【０００２】
近年、携帯電話に代表される電子機器の小型・軽量化、多機能化は急速に進展している。技術傾向として、携帯電話の内部配線材にフレキシブルプリント配線板（以下、ＦＰＣと記す。）に代わって極細同軸ケーブルアセンブリの要求が増加している。これは、極細同軸ケーブルの持つ伝送特性や耐ノイズ特性が市場のニーズに適合してきたことによる。さらに、機械構造から極細同軸ケーブルの使用が難しいとされてきた構造に対して、その使用を可能とする配線方法の提供が要求されている。
【０００３】
従来の極細同軸ケーブルアセンブリ品は、携帯電話の内部配線材として、ＦＰＣに代わって利用されている。しかし、使用される携帯電話の機械構造は、図７（ａ）に示すようなクラムシェルタイプと称される開閉構造や、図７（ｂ）に示すようなジャックナイフタイプと称される回転構造、また図７（ｃ）に示すようなツイストタイプと称される回転と開閉が行える２軸構造にて行われており、図７（ｄ）に示すようなスライドタイプと称される水平移動構造には使用されていない。
【０００４】
スライドタイプの構造に求められる特性として、高さ３ｍｍのスペースでの水平屈曲がある。従来、この構造に対して、薄い板構造であるＦＰＣしか対応ができなかった。図８は、スライドタイプの電子機器１の筐体間配線材としてＦＰＣ４を適用した場合を例示する図である。この電子機器１は、第１の筐体２と、この第１の筐体２にスライド可能に取り付けられた第２の筐体３とのそれぞれの回路を、ＦＰＣ４により電気的に接続した構造になっている。
【０００５】
また、極細同軸ケーブルアセンブリ等に用いる多心ケーブルに関して、例えば、特許文献１，２に開示された技術が提案されている。
特許文献１には、複数本の電線の両端末部分を所定のピッチで配列してフラット状にし、中間部分を１つに束ねたことを特徴とする多心ケーブルが開示されている。
特許文献２には、複数本の電線に横糸を織り込んだ多心ケーブルであって、前記横糸の収縮により丸形状に近づく形状に束ねられていることを特徴とする多心ケーブルが開示されている。
【特許文献１】特開２００５−２３５６９０号公報
【特許文献２】特開２００５−１４１９２３号公報
【発明の開示】
【発明が解決しようとする課題】
【０００６】
しかしながら、前記従来技術には、次のような問題があった。
図８に示すようにスライドタイプの電子機器の筐体間配線材としてＦＰＣを用いたものは、伝送特性や耐ノイズ特性が不十分である。また、狭いスペースでＦＰＣを屈曲させるため、ＦＰＣに曲げ癖や折れが生じる可能性があり、その部分で伝送特性が悪化し易い問題がある。
【０００７】
前述したように、スライドタイプの電子機器の筐体間配線材として極細同軸ケーブルを用いれば、ＦＰＣを配線材として用いた場合と比べて、伝送特性や耐ノイズ特性を向上させることが可能であるが、特許文献１、及び特許文献２に開示された従来のハーネス構造は、クラムシェルタイプやジャックナイフタイプで用いられる構造であり、スライドタイプの構造には適用できない。すなわち、これらの従来のハーネス構造では、複数本のケーブルを束ねた構造になっているため、スライドタイプに要求される３ｍｍ高さの屈曲スペースを維持することができない。
【０００８】
図９は、従来のスライドタイプの電子機器における配線構造を示す参考図である。このスライドタイプの電子機器５は、第１の接続部８を有する第１の筐体６と、この第１の筐体６にスライド可能に取り付けられ、第２の接続部９を有する第２の筐体７とを備えている。このスライドタイプの電子機器５は、第１の接続部８と第２の接続部９とを結ぶ線が、筐体移動方向１０（筐体スライド方向）と平行になるように、各接続部が設けられているため、筐体間配線材として図１０に示すハーネス１０Ｂを用いる場合には、符号１０Ａで示すハーネス配線位置に配線することになる。図１０（ａ）はハーネス１０Ｂの正面図、（ｂ）は側面図、（ｃ）は斜視図である。
【０００９】
一般に、携帯電話に使用される極細同軸ケーブルは、ＡＷ４６からＡＷＧ４２であり、そのケーブル外径は、０．２ｍｍ〜０．３ｍｍ程度である。また一般的なスライドタイプ構造に使用される屈曲スペースは約３ｍｍ程度の高さを求められており、約１０万回以上の耐屈曲性能が求められている。
一般に極細同軸ケーブルの許容曲げ半径は、線径の２０倍程度の曲率半径が必要であり、ケーブル線径が０．２ｍｍ〜０．３ｍｍ程度、例えば０．２５ｍｍとすると、その許容曲げ半径は５ｍｍ程度必要となり、一般的なスライドタイプ構造に要求される屈曲スペース３ｍｍを維持できない。
【００１０】
また、特許文献１、及び特許文献２に開示された従来のハーネスは、多数本のケーブルを束ねており、これを図９の符号１０Ａに示す配線位置に接続し、筐体７をスライドさせ、高さ３ｍｍのスペースに折り曲げた場合、ケーブルの曲がり癖がついてしまうために、耐屈曲性能が一層悪化してしまう。
その一方で、ハーネスのケーブルはフラット形状を維持する必要があるが、束ね部材無しで構成したハーネスを屈曲させる場合、ケーブルの癖や張りにより、フラット形状を一定に保つことができないという問題もある。
【００１１】
本発明は、前記事情に鑑みてなされ、スライドタイプの電子機器において、高さ３ｍｍ以下のスペースで極細同軸ケーブルアセンブリを可能とした電子機器と、その配線材として用いられる電子機器配線用ハーネスの提供を目的とする。
【課題を解決するための手段】
【００１２】
前記目的を達成するため、本発明は、回路を有する複数の筐体が相対移動可能に取り付けられ、これらの筐体内の回路同士を電線によって電気的に接続してなる電子機器において、前記電線は、多数本の電線の両端に接続部を有するハーネス構造をなし、前記筐体のハーネスとの接続部は、これらの接続部を結ぶ線と前記複数の筐体の移動方向とが平行にならない位置に配置されたことを特徴とする電子機器を提供する。
【００１３】
本発明の電子機器において、前記電線は、少なくとも１本の極細同軸ケーブルを含むものであることが好ましい。
【００１４】
本発明の電子機器において、前記複数の筐体は、第１の筐体と、該第１の筐体にスライド可能に取り付けられた第２の筐体とからなることが好ましい。
【００１５】
本発明の電子機器において、前記ハーネスは、多数本の電線のそれぞれの線長を変えたものであることが好ましい。
【００１６】
また本発明は、多数本の電線の両端に接続部を有するハーネス構造をなし、前記本発明に係る電子機器における筐体内の回路同士を電気的に接続するために用いる電子機器配線用ハーネスを提供する。
【発明の効果】
【００１７】
本発明によれば、スライドタイプの電子機器において、高さ３ｍｍ以下のスペースで極細同軸ケーブルアセンブリを可能とした電子機器を提供することができる。
本発明の手法を用いることにより、スライドタイプの電子機器において、極細同軸ケーブルアセンブリが可能となるので、従来のＦＰＣを筐体間配線材として用いたものと比べ、伝送特性や耐ノイズ特性を向上させることができる。
【発明を実施するための最良の形態】
【００１８】
以下、図面を参照して本発明の実施形態を説明する。
図１は、本発明の電子機器の第１実施形態を示す斜視図である。また図２は、この電子機器１１に用いられる電子機器配線用ハーネス（以下、ハーネスと略記する）の一例を示す図であり、図２（ａ）はハーネス１７の正面図、（ｂ）は側面図、（ｃ）は斜視図である。これらの図中、符号１０は筐体移動方向、１１はスライドタイプの電子機器、１２は第１の筐体、１３は第２の筐体、１４はハーネス配線位置、１５Ａは筐体側の第１の接続部、１５Ｂはハーネス側の第１の接続部、１６Ａは筐体側の第２の接続部、１６Ｂはハーネス側の第２の接続部、１７はハーネス、１８は極細同軸ケーブルである。
【００１９】
本実施形態の電子機器１１は、回路を有する２つの筐体１２，１３がスライド可能に取り付けられ、これらの筐体１２，１３内の回路同士をハーネス１７によって電気的に接続してなり、前記ハーネス１７は、多数本の極細同軸ケーブル１８の両端に接続部１５Ｂ，１６Ｂを有し、前記筐体のハーネスとの接続部１５Ａ，１６Ａが、これらの接続部１５Ａ，１６Ａを結ぶ線と筐体移動方向１０とが平行にならない位置に配置されたことを特徴としている。
【００２０】
本実施形態において、ハーネス１７としては、図２に示すように、多数本の極細同軸ケーブル１８とその両端の接続部１５Ｂ，１６Ｂとからなり、多数本の極細同軸ケーブル１８は、結束具や結束テープで束ねていない。なお、本実施形態では、ハーネス１７として、多数本の極細同軸ケーブル１８を有する構成としたが、本発明のハーネスは本例に限定されるものではなく、給電用電線などの同軸ケーブルでない電線と極細同軸ケーブルとを組み合わせてハーネスを構成してもよい。また、使用する極細同軸ケーブル１８の種類、外部導体の巻き方向の組み合わせ等は限定されない。
【００２１】
本実施形態の電子機器１１において、第１の筐体１２と第２の筐体１３とのスライド構造や搭載される回路の種類は特に限定されず、従来周知の携帯電話や携帯用パーソナルコンピュータ、携帯用ゲーム機、電子辞書などの各種電子機器に用いられているスライド構造、筐体構造及び回路の中から適宜選択することができる。なお、本発明の電子機器は、スライドタイプの電子機器１１に限定されず、回路を有する複数の筐体が相対移動可能に取り付けられ、これらの筐体内の回路同士を電線によって電気的に接続してなる電子機器に適用することが可能であり、例えば、図７（ａ）〜（ｄ）に示すそれぞれのタイプの携帯電話等に適用することができる。
【００２２】
本実施形態の電子機器１１は、各筐体１２，１３のハーネスとの接続部１５Ａ，１６Ａを、これらの接続部１５Ａ，１６Ａを結ぶ線と筐体移動方向１０とが平行にならない位置に配置したことによって、これらの接続部１５Ａ，１６Ａに図２に示すハーネス１７の各接続部１５Ｂ，１６Ｂを接続してハーネス１７を図１に示すハーネス配線位置１４に配置して筐体間を電気的に接続し、筐体１３をスライドさせた場合に、ハーネス１７の極細同軸ケーブル１８を、図９の配線パターンの場合よりも大きな曲率半径で屈曲させることができる。
図９に示す配線パターンは、筐体移動方向１０と各接続部８，９を結ぶ線とが平行であるので、ハーネスを配線して筐体をスライドさせた場合に、筐体間のスペースでケーブルの曲率半径が制限されてしまうため、このスペースが小さくなると、ハーネスが屈曲できなくなる。この為、従来スライド型の筐体に使用されていない。
一方、図１に示す本実施形態の電子機器１１では、ハーネス１７を図１に示すハーネス配線位置１４に配置することで、ハーネス１７の極細同軸ケーブル１８がスライド面上にＵ字形に配置され、筐体のスライドに際して大きな曲率半径で屈曲する。
【００２３】
その結果、本実施形態のスライドタイプの電子機器１１は、高さ３ｍｍ以下のスペースで極細同軸ケーブルハーネスを使用することができる。
このように、本実施形態の電子機器１１は、極細同軸ケーブルアセンブリが可能となるので、従来のＦＰＣを筐体間配線材として用いたものと比べ、伝送特性や耐ノイズ特性を向上させることができる。
【００２４】
図３及び図４は、本発明の第２実施形態を示す図であり、図３はハーネスの要部正面図、図４は斜視図である。
本実施形態は、多数本の極細同軸ケーブル１８のそれぞれの線長を変えたハーネス１９を用いていることを特徴とし、その他の構成要素は前記第１実施形態と同じとすることができる。
【００２５】
本実施形態では、前述した第１実施形態と同様の効果を得ることができ、さらに、多数本の極細同軸ケーブル１８のそれぞれの線長を変えたハーネス１９を用いたことによって、ケーブル同士の重なり部をずらすことができ、その結果、ケーブル同士の摩擦による断線を無くすことが可能となる。
【００２６】
図５及び図６は、本発明の第３実施形態を示す図であり、図５は極細同軸ケーブル１８の外部導体の巻き方向を示す拡大図、図６はハーネス２０の正面図である。
本実施形態は、ハーネス２０を構成する極細同軸ケーブル１８の外部導体をすべて同一方向の横巻きに揃えたことを特徴としている。
【００２７】
本実施形態では、前述した第１実施形態と同様の効果を得ることができ、さらに、ハーネス２０を構成する極細同軸ケーブル１８の外部導体をすべて同一方向の横巻きに揃えたことによって、ケーブル自体に捻りが加わり、図６に示すように、自然にテープ形状を保持することができ、屈曲時のストレスを緩和できる。
【実施例】
【００２８】
［実施例１］
極細同軸ケーブルとして、外径０．２４ｍｍのＡＷＧ４６を用い、２つの接続部（コネクタ）間に長さ６５ｍｍの該ケーブルを４０本接続して、図２に示す構造のハーネスを作製した。
このハーネスを、図１に示すように、筐体スライド方向と直交する方向に各コネクタが２０ｍｍずれた状態で配線した。このときのケーブルの曲率半径は５ｍｍ以上となった。また、スライド部分のケーブル収納高さは３ｍｍとした。
この状態で、筐体を連続的にスライドさせ、ケーブルを屈曲させ、破断に至るまでのスライド回数を調べた。スライド試験の条件は、スライド間隔が３０ｍｍ、スピードが３０回／分とした。
その結果、本実施例のハーネスは、１０万回以上スライドを加えてもケーブルの破断は生じなかった。
【００２９】
［実施例２］
実施例１と同様であるが、極細同軸ケーブルの長さを６５ｍｍ〜１１２ｍｍの範囲で変化させ、図３に示すハーネスを作製し、このハーネスを用いて実施例１と同様にスライド試験を行った。
その結果、本実施例のハーネスは、１０万回以上スライドを加えてもケーブルの破断は生じなかった。
【００３０】
［比較例］
実施例１と同じ構造のハーネスを用い、これを図９、図１０に示すように、各コネクタを結ぶ線が筐体スライド方向と平行となるように配線した。ハーネスのケーブルは、スライド部分のケーブル収納高さ（３ｍｍ）で屈曲され、このときのケーブルの曲率半径は１．５ｍｍとなった。
この状態で、実施例１の場合と同様のスライド試験を行った。その結果、比較例のケーブルは、平均（ｎ＝５）８１２４回で破断が生じた。
【図面の簡単な説明】
【００３１】
【図１】本発明の電子機器の第１実施形態を示す斜視図である。
【図２】第１実施形態の電子機器に用いるハーネスを示し、（ａ）はハーネスの正面図、（ｂ）は側面図、（ｃ）は斜視図である。
【図３】本発明の第２実施形態のハーネスを示す正面図である。
【図４】本発明の第２実施形態のハーネスを示す斜視図である。
【図５】本発明の第３実施形態のハーネスを示す拡大図である。
【図６】本発明の第３実施形態のハーネスを示す正面図である。
【図７】電子機器の一例として携帯電話の筐体移動形態を例示する図である。
【図８】スライドタイプの電子機器において筐体間配線材としてＦＰＣを用いた場合を例示する断面図である。
【図９】スライドタイプの電子機器において筐体間配線材としてハーネスを用いる場合の従来の配線状態を示す斜視図である。
【図１０】図９の電子装置に用いるハーネスを例示し、（ａ）はハーネスの正面図、（ｂ）は側面図、（ｃ）は斜視図である。
【符号の説明】
【００３２】
１０…筐体移動方向、１１…電子機器、１２…第１の筐体、１３…第２の筐体、１４…ハーネス配線位置、１５Ａ…（筐体側の）第１の接続部、１５Ｂ…（ハーネス側の）第１の接続部、１６Ａ…（筐体側の）第２の接続部、１６Ｂ…（ハーネス側の）第２の接続部、１７，１９，２０…ハーネス、１８…極細同軸ケーブル。
【図１】
2008192453.tif 000003
【図２】
2008192453.tif 000004
【図３】
2008192453.tif 000005
【図４】
2008192453.tif 000006
【図５】
2008192453.tif 000007
【図６】
2008192453.tif 000008
【図７】
2008192453.tif 000009
【図８】
2008192453.tif 000010
【図９】
2008192453.tif 000011
【図１０】
2008192453.tif 000012